(57)【要約】【課題】本発明は、地震に伴って起こる家屋の損壊、火災、高水位浸水、土砂災害、放射線汚染などによって、人身が被害を被ることを防ぐ建築物であって、既存家屋に追加的に施工したり、屋外に設置できる構造としたことによって、高額な費用を要せず施工できる防災シェルターを提供することである。【解決手段】グラスウールのような耐火性断熱材と鉄板のような高強度素材で製作したパネルを用いて側壁、天井、床を構成した部屋の天井の上に消火用の水槽を設けた防災シェルターであり、既存家屋の屋内に設置したり、索体や連結具で地面につないで屋外に設置したりできる防災シェルターである。【選択図】図１
2018016984.tif 000002
【特許請求の範囲】
【請求項１】
側壁と天井と床とドアをが耐火性、断熱性を備えた高強度パネルで構成され、前記天井パネルの上に室内へ放水可能な水槽を備えた防災シェルター。
【請求項２】
既存の家屋内に設置できる請求項１記載の防災シェルター。
【請求項３】
水害時浮上できる長さの接続解除可能な索体によって地面につながれている請求項１，２記載の防災シェルター。
【請求項４】
地面に立設固定されたポールに、上下摺動できる連結具でつながれた防災シェルター。
【発明の詳細な説明】
【技術分野】
【０００１】
本発明は、震災、火災、高水位浸水、土砂災害、放射能汚染から身を守るために、住居内や屋外に設置する防災施設に関するものである。
【背景技術】
【０００２】
家屋は、建築基準法に定められた技術基準に適合する構造耐力と耐火性能を備えている。従って、一定の震度に対しては、それに耐えうる構造耐力を有するし、火災においては一定時間耐える構造や材質で構成されている。しかしながら、次に挙げるような点において十分とは言えない。そして、放射線被爆、高水位浸水、土石流に対しては無防備である。
まず、地震規模は正確な予測が困難であるから、耐震強度が建築基準法で定められた基準を満たせば安心という訳ではない。基準設定の根拠となる震度を超える地震が到来する可能性は誰しも否定できない。そして、これらの基準すら満たしていない旧基準に基づいた家屋が多数存在するのが現実である。旧建築基準とは、新耐震基準が導入された1980年（昭和55年）以前の基準である。
次に、火災に対しては、建築基準法で、非損傷性、遮熱性、対炎性について一定の時間持ち堪えることが義務付けられるが、身体障害者、や高齢者を考慮した場合、建築基準法で定められた以上の長い避難猶予時間を保有することが望ましい。また、逃げ遅れた人が救助されるまで持ちこたえられず生命を失うこともある。ましてや、その基準すら満たしていない建物においては、改善の必要性が高い。更に、火災の備えとして設置されるスプリンクラーは、地震に伴う火災の場合、損傷して動作しない可能性が高いという不安がある。
また、原子力発電が存続する限り、防災シェルターには放射線被爆に対する備えも必要であるが、現実は無防備である。
更に近年は気象変動が著しく、豪雨や津波による高水位浸水や土砂災害が毎年のように発生し多くの被害が生じている。
既に提案されている防災シェルターは、以上述べたすべての災害に耐えうるものとは言えない。
【先行技術文献】
【特許文献】
【０００３】
【特許文献１】特開２０１０-156174(P2010-156174A)号
【特許文献２】特開2009-74268(P2009-74268A)号
【特許文献３】特開2001-115662(P2001-115662A)号
【特許文献４】特開2011-69178(P2011-69178A)号
【特許文献５】特開平8-232499号
【特許文献６】登録実用新案第3015379号
【発明の概要】
【発明が解決しようとする課題】
【０００４】
前述の如く、従来の施工方法では、震災、火災、高水位浸水、土砂災害、放射能汚染を一挙に解決できないという不具合があった。また、火災に対しては、身体障害者や高齢者が避難するための猶予時間において不安が残る基準で施工されたものである。また、通常のスプリンクラーのような消火装置は、震災に伴って発生した火災の場合、配管が破損するなどの動作不能となる可能性を残している。これらを、すべて解決するには、高額な費用が必要となる。
本発明は、高額な費用をかけることなく、このような不具合や、不安を一挙に解決する建築物及び施工方法を提案するものである。
【課題を解決するための手段】
【０００５】
家屋の1室の内面を、耐熱性、耐加重性に優れたパネルで囲うように設置すると共に、水や放射性微粒子が浸入しない密閉構造とする。勿論、平常時には換気口を有する構造とすることは言うまでもない。そして、その部屋の天井パネルの上には、水槽を設置して、その室内から出火した場合は、この水槽の水が配管を経由することなく、直接放水する構造とすることで確実で迅速な初期消火を可能とする。その部屋を、災害発生時の緊急避難場所とする。
また、これと同等の構造を持つ部屋を屋外に設置すれば、前記と同等の機能を備えつつ、高水位浸水や土砂災害への対応も可能となる。
【０００６】
本発明の構造をより詳細に説明する。
家屋の中で、1室を避難場所と定め、その部屋の内面6面（天井、側壁、床）を、例えば鉄板のような高強度素材とグラスウールのような耐火性断熱材で構成したパネルで覆うように囲う。そして、天井パネルの上には、水槽を設置する。水槽は、概略２０ｃｍ程度の深さとし、天井面積の範囲内で任意に大きさを設定する。天井パネルには数箇所放水口を設け、消火用水をその水槽から供給する。その部屋に火災が発生した時は放水口から水槽内の水を放水し、迅速な初期消火を行う。水槽内の水の供給源は雨水や水道水とし、常に水槽を満水に保つ。水槽を満水にする手段は、以下の通りである。水槽の上部に給水口を設ける。対向する側には満水の水位に相当する位置に排水口を設ける。給水を継続的に行うことによって、常に水は水槽内で溢れることなく満水水位を保つ。そして、排水口を給水口に対向する側に設けているため、水槽内の水は常に新しい水に入れ替わる。
これと同等の建物を屋外に設置して、高水位浸水や土砂災害に備える場合の手段は次の通りである。
まず建物は、地面の基礎の上に位置ズレしないように置くのみとし、固定しない。地面の基礎と建物との間は、一定の長さの索体等で接続し、津波等の高水位浸水で建物が浮上し得てかつ流されない構造とする。一方土砂災害に対しては、危険予知情報をもとに予め建物を安全な場所へ移設する。そのためにヘリコプターなどで建物を吊り上げるためのリングを持ったボルトを建物上部に設けておく。そして、前記索体は、移設前に建物との接続を解除しておく。
【０００７】
防災シェルターを構成するパネルは、定尺サイズ（920ｍｍ×１８００ｍｍ）のものを製作し、それをつなぎ合わせて製作するので、どのような広さの部屋にも対応することができる。ドアの設置場所は自由に設定できる。パネルの厚さは１４０ｍｍ程度とし、耐火性断熱材を鉄板などの筒体で包み込む構造とすることで、十分な機械的強度を持たせることが出来る。
【発明の効果】
【０００８】
地震が発生したとき、防災シェルターと定めた部屋に緊急避難する。防災シェルター室は、補強効果によって、他の部屋が倒壊しても、破損しない。また、地震に伴い2次的に火事が発生しても、防災シェルター室は耐熱材質で構成されているため、焼損せず、救助されるまで、安全に待機できる時間を稼ぐことが出来る。また、防災シェルター室は密閉構造であるため、原子力発電所が大事故を起こしてセシウムなどの放射性微粒子を放出しても、その浸入を防ぐことが出来る。同様に、台風や津波などによる高水位水害に対しても水の浸入を防ぐことが出来る。
一方、屋外に設置した防災シェルターは、津波等の高水位浸水時には浮上し、救助を待つことになる。このとき、浮上した防災シェルターは索体で地面と繋がっているので、流れ出して発見が遅れるという心配が無い。尚、索体の長さは、浸水水位より十分長く設定する必要がある。土砂災害に対しては、事前に安全な場所に防災シェルターを移設することができる。
【０００９】
防災シェルターを体の動きが不自由な身体障害者や老人の居室とすることによって、いっそう効果的にその機能を活用することが出来る。まず、身体障害者や老人は常に防災シェルターに居るため、地震発生時に避難のために移動する必要がなくなる。そして、万一、防災シェルターから出火した場合、天井パネル裏の水槽の水が、天井から放水されることによって、迅速な初期消化をすることができる。放水口を設ける位置は、火事の発生源となり得る加熱機器や、就寝用ベッドの辺りにすることで、効果的な初期消火と人体保護につながる。
【００１０】
屋外に設置する場合の更なる効果は、災害後の避難先住居としてそのまま使用できることである。従来は、災害で家屋を失った場合、避難場所で不自由な生活を余儀なくされることが通常であった。仮設住宅の建設が追いつかず、避難所での生活が長期化することによる避難者の心労が大きな問題となっている。また多大な費用をかけて建築される仮設住宅は、用済み後廃棄されることは大きなロスである。防災シェルターがそのまま使えることは、このような様々な問題を一挙に可決できる効果がある。
従って、土砂災害危険区域にこのような屋外設置シェルターの普及が進めば、災害を未然に防ぎ、かつ災害後の住居も確保できる効果がある。
【図面の簡単な説明】
【００１１】
【図１】特許請求項１記載の本発明の実施例を示す防災シェルターの図である。
【図２】特許請求項１記載の実施例の部分断面図である。
【図３】特許請求項1記載の実施例の断面図である。
【図４】特許請求項２記載の本発明の実施例を示す防災シェルターである。
【図５】特許請求項１記載の本発明に用いるパネルの構造実施例である。
【図６】特許請求項１記載の本発明に用いるパネルの構造詳細実施例である。
【図７】特許請求項１記載の本発明に用いるパネルの連結実施例である。
【図８】特許請求項１記載の本発明に用いるパネルの連結実施例の断面図である。
【図９】特許請求項１記載の本発明に用いるパネルの連結実施例の詳細図である。
【図１０】特許請求項３記載の本発明の実施例を示す防災シェルターの図である。
【図１１】特許請求項４記載の本発明の実施例を示す防災シェルターの図である。
【発明を実施するための形態】
【００１２】
実施例に基づき本発明の形態を説明する。
【実施例】
【００１３】
請求項１記載の本発明の実施例を図1及び図2及び図3に示す。
天井、側壁、床、ドアを、グラスウールのような耐火性断熱材と鉄板のような高強度素材で構成した筒体（後述）などを用いた 天井パネル（１）、側壁パネル（２）、床パネル（３）、ドアパネル（４）で構成し、天井パネル（１）の上には水槽（５）を設置する。水槽は概略20cｍ程度の深さとし、天井パネル（１）の面積の範囲内で任意の大きさとする。水槽の底面には、天井パネル（１）を貫通する複数の水路管(51)を設け、その先端に放水口（５２）を設置する。放水口（５２）は、火災の熱を感知して自動的に開栓・放水するものであっても、手動等で開栓・放水するものであってもよい。図２及び図3は、前者を使用した場合の実施例を示す。図2は、詳細図、図3は全体図である。火災発生時には、水槽（５）に蓄えた水（６）が、放水口（５２）から放水され、迅速な初期消火を行うことが出来る。消火用の水源である水槽（５）から直接火災現場に放水できるため、地震で水道の配管が破損して放水不能に陥る恐れが無い。水槽には常に水が満水に保たれるように、給水口（5３)と排水口(5４)を設ける。給水口と排水口は対向する位置に設け、排水口は、満水水位(61)の高さに設ける。そして、継続的に給水を行うことによって、排水口から自然に溢流し常に満水状態を保つことができる。更に排水口を給水口と対向する位置に設置したことで、常に新しい水に入れ替わって、水の腐敗を防ぐことが出来る。雨水を水源とすると経済的である。
該防災シェルターには、災害時に健常者より避難時間を要する身体障害者や高齢者が居住するのが好ましい。しかし、防災シェルターから出火した場合を想定すると、図3に示すように、居住者が居る時間の比率が多いベッド（７）の上部に放水口を設けることが肝要である。つまり、放水を浴びることで、逃げ遅れて救助を待つ間、火災の熱から人体を守ることができる。また、同放水口を、火元となり得る加熱機器近辺の上部に設ければ、効果的な初期消火ができる。
【００１４】
請求項１記載の本発明に用いるパネルの実施例を図５、図6、図7、図8、図9に示す。
パネル1枚は、図5に示す形状である、耐火性断熱材（１01)と高強度筒体(102)、連結金具(103)で構成する。高強度用筒体のサイズは、縦、横、厚さが概略１８００ｍｍ、９２０ｍｍ、１４０ｍｍである。
図６で該パネルの構造をより詳細に述べる。耐火性断熱材(101)は、高強度筒体（１０２）の中にほぼ隙間なく挿入される。連結金具は、溶接等で高強度筒体（１０２）に固定される。高強度筒体(102)や連結金具(103)は、鉄等の剛性の高い素材で構成する。
図７は、該パネルを2枚連結した図である。
図8は、該パネルを2枚連結した断面図である。
図9は、該パネルの連結部を詳細に表した図である。連結金具同士をボルト・ナット(104)で接続する。パネルとパネルの隙間には、耐熱樹脂（105)を充填してパネル連結面を平滑にする。
【００１５】
請求項２記載の本発明の実施例を図４に示す。
この防災シェルター（8）を家屋（９）内に設置した図である。例えば、家屋の1室を選んで防災シェルターを設置する場合、その部屋のサイズに合わせた、グラスウールのような耐火性断熱材と鉄板などの高強度素材で構成したパネルを、床、側壁、天井に夫々内側から貼り付けるように設置し、適切な位置にドアを設ける。水槽は、元々の天井と、耐熱素材の天井パネル（１）との間に挟むように設置する。地震が発生したときは全員がこの部屋に非難する。前記パネルは定尺寸法で製作してあるので、これをつなぎ合わせて部屋のサイズに合わせることによって、どのような部屋にも設置可能である。
【００１６】
請求項３記載の本発明実施例を図１０に示す。
【００１７】
請求項４記載の本発明の実施例を図１１に示す。
【産業上の利用可能性】
【００１８】
当該防災シェルターは、民家のみでなく、公的機関や企業においても同様の目的で利用出来る。
【符号の説明】
【００１９】
１    天井パネル
２    側壁パネル
３    床パネル
４    ドアパネル
５    水槽
５１  水路管
５２  放水口  
５３  給水口
５４  排水口
６    水
６１  満水水位
７    就寝用ベッド
８    防災シェルター
９    家屋内設置防災シェルター  
10   屋外設置防災シェルター
11     地面固定体
12    索体
13   地面固定ポール
14   摺動連結具
15  リング付きボルト
101  耐火性断熱材
102  高強度筒体
103  連結金具
104  接続用ボルト・ナット
105  耐熱樹脂
【図１】
2018016984.tif 000003
【図２】
2018016984.tif 000004
【図３】
2018016984.tif 000005
【図４】
2018016984.tif 000006
【図５】
2018016984.tif 000007
【図６】
2018016984.tif 000008
【図７】
2018016984.tif 000009
【図８】
2018016984.tif 000010
【図９】
2018016984.tif 000011
【図１０】
2018016984.tif 000012
【図１１】
2018016984.tif 000013